(57)【要約】【課題】会話を伴う執務と会話を伴わない執務とが混在する場合に、執務者らの集中力低下を防止できる執務環境調整システムを提供する。【解決手段】執務環境調整システム１は、執務室Ｒの全体を照らすアビエント照明部１０と、複数の執務領域Ｔのそれぞれをアビエント照明部１０よりも高い照度で照らす複数のタスク照明部２０と、複数の執務領域Ｔのそれぞれに向けて音を流す複数のサウンドマスキング部３０と、複数の執務領域Ｔのうち、現に執務が行われる現行執務領域を選択する選択部４０と、現行執務領域に対してタスク照明部２０を点灯すると共に、現行執務領域又はこれに隣接する隣接領域に対してサウンドマスキング部３０を鳴らす制御部５０と、を備える。【選択図】図１
2014154483.tif 000002
【特許請求の範囲】
【請求項１】
複数の執務領域を有する執務室の執務環境を調整する執務環境調整システムであって、
前記執務室の全体を照らすアビエント照明部と、
前記複数の執務領域のそれぞれを前記アビエント照明よりも高い照度で照らす複数のタスク照明部と、
前記複数の執務領域のそれぞれに向けて音を流す複数のサウンドマスキング部と、
前記複数の執務領域のうち、現に執務が行われる現行執務領域を選択する選択部と、
前記現行執務領域に対して前記タスク照明部を点灯すると共に、前記現行執務領域又は前記現行執務領域に隣接する隣接領域に対して前記サウンドマスキング部を鳴らす制御部と、
を備えることを特徴とする執務環境調整システム。
【請求項２】
前記選択部は、前記現行執務領域を、会話を伴う執務が行われる会話領域に設定する第一設定部を有し、
前記制御部は、前記第一設定部が設定されると、前記会話領域に対して前記タスク照明部を点灯すると共に、前記隣接領域に対して前記サウンドマスキング部を鳴らすことを特徴とする請求項１に記載の執務環境調整システム。
【請求項３】
前記複数の執務領域のそれぞれにおける執務者の有無を検出する人感センサーを備え、
前記制御部は、前記人感センサーにより執務者が検出されない場合には、前記隣接領域に対して前記サウンドマスキング部を鳴らさないことを特徴とする請求項２に記載の執務環境調整システム。
【請求項４】
前記制御部は、前記隣接領域と前記会話領域が重複する場合には、前記会話領域に設定することを特徴とする請求項２又は３に記載の執務環境調整システム。
【請求項５】
前記制御部は、前記会話領域同士が隣接する場合には、前記会話領域に対してそれぞれ前記サウンドマスキング部を鳴らすことを特徴とする請求項４に記載の執務環境調整システム。
【請求項６】
前記制御部は、前記会話領域に対して前記タスク照明部を点灯するとき、前記会話領域よりも広い範囲を照らすことを特徴とする請求項２から５のうちいずれか一項に記載の執務環境調整システム。
【請求項７】
前記選択部は、前記現行執務領域を、会話を伴わない執務が行われる事務領域に設定する第二設定部を有し、
前記制御部は、前記第二設定部が設定されると、前記事務領域に対して前記タスク照明部を点灯し、前記サウンドマスキング部を鳴らすことを特徴とする請求項１に記載の執務環境調整システム。
【請求項８】
前記制御部は、前記隣接領域と前記事務領域とが重複する場合には、前記事務領域に設定することを特徴とする請求項７に記載の執務環境調整システム。
【請求項９】
前記制御部は、前記事務領域に対して前記タスク照明部を点灯するとき、前記事務領域と同一の範囲を照らすことを特徴とする請求項７又は８に記載の執務環境調整システム。
【請求項１０】
前記選択部は、前記複数の執務領域のそれぞれに配置されることを特徴とする請求項１から９のうちいずれか一項に記載の執務環境調整システム。
【発明の詳細な説明】
【技術分野】
【０００１】
本発明は、執務環境調整システムに関する。
【背景技術】
【０００２】
オフィスルームやミーティングルーム等の執務室では、ミーティング等の会話を伴う執務が近接したテーブルや領域で同時に行われたり、会話を伴う執務と事務処理等の会話を伴わない執務とが近接したテーブル等で同時に行われたりする。
このような場合には、ミーティング等の会話が周囲に聞こえてしまうため、周囲の執務者の集中力が阻害されて、執務の生産性・効率性が低下するおそれがある。また、会話の内容が第三者に漏れ聞こえてしまうことで、プライバシーが損なわたり、機密情報が漏洩したりするおそれもある。
【０００３】
そこで、会話の内容を周囲の執務者や第三者に聞き取られづらくするサウンドマスキングシステムが提案されている。
サウンドマスキングシステムは、会話を伴う執務者らの周囲で、ホワイトノイズ等を鳴らことで、話し声は聞こえるが会話内容はわかりにくい状況をつくりだすものである。これにより、周囲の執務者の執務環境を保ちながら、会話内容の漏洩等を防止できる。
【先行技術文献】
【特許文献】
【０００４】
【特許文献１】特開２０１２−１５９７４０号公報
【発明の概要】
【発明が解決しようとする課題】
【０００５】
執務室にサウンドマスキングシステムを導入した場合であっても、周囲の執務者にとって会話を伴う執務者らが視覚に入りやすい環境であると、集中力が散漫になって思考力・集中力が落ちて、生産性・効率性が低下するおそれがある。このため、間仕切りや衝立等のパーテーションを用いることも考えられる。
しかし、物理的にパーテーションを設置できない場合がある。例えば、一つの長机（ミーティングテーブル）で、会話を伴う執務と会話を伴わない執務が混在する場合である。また、オフィスデザイン等の都合からパーテーションを設置できない場合もある。
さらに、会話を伴う執務や行われるテーブル等が一定ではなく、任意のテーブル等で行われる場合には、衝立等を移動する手間がかかるため、衝立等を設置することなく執務が行われてしまう。このため、周囲の執務者の生産性が損なわれてしまう。
【０００６】
本発明は、上述した事情に鑑みてなされたもので、会話を伴う執務と会話を伴わない執務とが混在する場合に、執務者らの集中力低下を防止できる執務環境調整システムを提供することを目的とする。
【課題を解決するための手段】
【０００７】
本発明の執務環境調整システムの第一実施態様は、複数の執務領域を有する執務室の執務環境を調整する執務環境調整システムであって、前記執務室の全体を照らすアビエント照明部と、前記複数の執務領域のそれぞれを前記アビエント照明よりも高い照度で照らす複数のタスク照明部と、前記複数の執務領域のそれぞれに向けて音を流す複数のサウンドマスキング部と、前記複数の執務領域のうち、現に執務が行われる現行執務領域を選択する選択部と、前記現行執務領域に対して前記タスク照明部を点灯すると共に、前記現行執務領域又は前記現行執務領域に隣接する隣接領域に対して前記サウンドマスキング部を鳴らす制御部と、を備えることを特徴とする。
【０００８】
本発明の執務環境調整システムの第二実施態様は、第一実施態様において、前記選択部は、前記現行執務領域を、会話を伴う執務が行われる会話領域に設定する第一設定部を有し、前記制御部は、前記第一設定部が設定されると、前記会話領域に対して前記タスク照明部を点灯すると共に、前記隣接領域に対して前記サウンドマスキング部を鳴らすことを特徴とする。
【０００９】
本発明の執務環境調整システムの第三実施態様は、第二実施態様において、前記複数の執務領域のそれぞれにおける執務者の有無を検出する人感センサーを備え、前記制御部は、前記人感センサーにより執務者が検出されない場合には、前記隣接領域に対して前記サウンドマスキング部を鳴らさないことを特徴とする。
【００１０】
本発明の執務環境調整システムの第四実施態様は、第二又は第三実施態様において、前記制御部は、前記隣接領域と前記会話領域が重複する場合には、前記会話領域に設定することを特徴とする。
【００１１】
本発明の執務環境調整システムの第五実施態様は、第四実施態様において、前記制御部は、前記会話領域同士が隣接する場合には、前記会話領域に対してそれぞれ前記サウンドマスキング部を鳴らすことを特徴とする。
【００１２】
本発明の執務環境調整システムの第六実施態様は、第二から第五実施態様のいずれかにおいて、前記制御部は、前記会話領域に対して前記タスク照明部を点灯するとき、前記会話領域よりも広い範囲を照らすことを特徴とする。
【００１３】
本発明の執務環境調整システムの第七実施態様は、第一実施態様において、前記選択部は、前記現行執務領域を、会話を伴わない執務が行われる事務領域に設定する第二設定部を有し、前記制御部は、前記第二設定部が設定されると、前記事務領域に対して前記タスク照明部を点灯し、前記サウンドマスキング部を鳴らすことを特徴とする。
【００１４】
本発明の執務環境調整システムの第八実施態様は、第七実施態様において、前記制御部は、前記隣接領域と前記事務領域とが重複する場合には、前記事務領域に設定することを特徴とする。
【００１５】
本発明の執務環境調整システムの第九実施態様は、第七または第八実施態様において、前記制御部は、前記事務領域に対して前記タスク照明部を点灯するとき、前記事務領域と同一の範囲を照らすことを特徴とする。
【００１６】
本発明の執務環境調整システムの第十実施態様は、第一から第九実施態様のいずれかにおいて、前記選択部は、前記複数の執務領域のそれぞれに配置されることを特徴とする。
【発明の効果】
【００１７】
本発明の執務環境調整システムは、会話を伴う執務と会話を伴わない執務とが混在する場合に、執務者らの集中力低下を防止できる。
【図面の簡単な説明】
【００１８】
【図１】本発明の実施形態の執務環境調整システム１を示す図（ミーティングルームＲの上面図）である。
【図２】ミーティングルームＲの側面図である。
【図３】執務テーブルＴが会話テーブルＪＡに設定された場合を示す図である。
【図４】執務テーブルＴが事務テーブルＪＢに設定された場合を示す図である。
【図５】隣接テーブルＫと会話テーブルＪＡが重複して設定された場合を示す図である。
【図６】隣接テーブルＫと事務テーブルＪＢが重複して設定された場合を示す図である。
【発明を実施するための形態】
【００１９】
本発明に係る執務環境調整システムの実施形態について、図を参照して説明する。
なお、以下の説明において、ｎは任意の自然数を意味する。
【００２０】
〔基本環境〕
図１は、本発明の実施形態に係る執務環境調整システム１を示す図（ミーティングルームＲの上面図）である。図１では、執務環境調整システム１によりミーティングルームＲが基本環境に設定された状態である。
図２は、ミーティングルームＲの側面図である。
各図面では、選択部４０等を認識可能な大きさとするため、縮尺を適宜変更している。
【００２１】
ミーティングルーム（執務室）Ｒには、ミーティング等の執務を行うための執務テーブルＴが複数配置される。図１に示すように、８つの執務テーブルＴ１〜Ｔ８が規則的に配置される。
以下では、執務テーブルＴ１〜Ｔ８のいずれかを指す場合、執務テーブルＴｎと呼ぶ場合がある。ｎは、１〜８の自然数である。
【００２２】
執務テーブルＴ１〜Ｔ８は、ミーティングルームＲの床面に固定される。執務テーブルＴ１〜Ｔ８は、必ずしも床面に固定される必要はないが、後述するタスク照明２１〜２８及びスピーカー３１〜３８との位置関係が、一対一に定まる必要がある。
執務テーブル（執務領域）Ｔには、それぞれ複数の椅子が付属する。例えば、１台の執務テーブルＴに対して４脚の椅子が付属する。
【００２３】
ミーティングルームＲには、執務環境調整システム１が設置される。
執務環境調整システム１は、アビエント照明部１０、タスク照明部２０、サウンドマスキング部３０、選択部４０及び制御部５０から構成される。
【００２４】
アビエント照明部１０とタスク照明部２０は、タスク・アンビエント照明（Task-ambient lighting）を行うものである。タスク・アンビエント照明とは、作業を行う領域には所要の照度を与え、その他の周辺領域にはこれより低い照度を与える照明方式である。
【００２５】
アビエント照明部１０は、ミーティングルームＲの全体に向けて、全般照度を供給する。アビエント照明部１０は、ミーティングルームＲの全体を、作業（視作業）に必要な照度以下の照度で照らす。
つまり、アビエント照明部１０は、作業（タスク）が行われている場所の周囲（アンビエント）を照らす。アビエント照明部１０は、天井、壁、床などを照明することで、ミーティングルームＲの全体の安全性や快適性などを確保する。例えば、アビエント照明部１０からの照明は、照度が２００±５０ｌｘ、色温度が４０００±５００Ｋである。
アビエント照明部１０を構成する照明器具の型式、数、方式（直接照明、間接照明）等は、任意である。例えば、ミーティングルームＲの天井に照明器具を設置してもよいし、執務テーブルＴ同士の間に照明器具を設置してもよし、これらを組み合わせてもよい。
アビエント照明部１０は、ミーティングルームＲが使用される場合（時間帯）には、常に点灯した状態に維持される。
【００２６】
タスク照明部２０は、作業（視作業）が行われる執務テーブルＴに向けて、所定の照度を供給する。タスク照明部２０は、執務テーブルＴを作業（視作業）に必要な照度で照らす。つまり、タスク照明部２０は、作業（タスク）が行われている場所を照らす。
タスク照明部２０は、執務テーブルＴの机上や対象物（書類等）を正確・十分に視認できるようにする。例えば、タスク照明部２０からの照明は、照度が５００±２００ｌｘ、色温度が４０００±１０００Ｋである
初期状態では、タスク照明部２０は消灯した状態である。
【００２７】
タスク照明部２０は、８つの執務テーブルＴ１〜Ｔ８を個々に照らすタスク照明２１〜２８を備える。
以下では、タスク照明２１〜２８のいずれかを指す場合、タスク照明２ｎと呼ぶ場合がある。ｎは、１〜８の任意の自然数である。
【００２８】
タスク照明２１〜２８は、それぞれ照明範囲を変更可能である。タスク照明２１〜２８は、広範囲照明モードＷと狭範囲照明モードＳをそれぞれ有している。
広範囲照明モードＷは、各執務テーブルＴとその執務テーブルＴに向かっている執務者Ｈの着座範囲を含めた範囲を照らすモードである。狭範囲照明モードＳは、各執務テーブルＴと同一範囲を照らし、その執務テーブルＴに向かっている執務者Ｈは照らさないモードである。
【００２９】
タスク照明２１〜２８が広範囲照明モードＷと狭範囲照明モードＳを切り替える手段は、例えば可変式シェードを用いる場合でもよいし、照明範囲が異なる複数の照明器具を切り替える場合であってもよい。
タスク照明２１〜２８を構成する照明器具の型式、数等は、任意である。例えば、ミーティングルームＲの天井に照明器具を設置してもよいし、執務テーブルＴ１〜Ｔ８の机上にそれぞれデスクライトを設置してもよい。
【００３０】
サウンドマスキング部３０は、作業（視作業）が行われる執務テーブルＴに向けて、所定の音を供給する。サウンドマスキング部３０は、執務テーブルＴにおける執務者Ｈの作業を阻害しない音質音量の音を流す。サウンドマスキング部３０は、例えばホワイトノイズ等を鳴らことで、執務者Ｈが周囲で行われる会話等を聞き取りづらくする。つまり、サウンドマスキング部３０は、話し声は聞こえるが会話内容はわかりにくい状況をつくりだす。
例えば、サウンドマスキング部３０からの音は、周波数が１００〜２０００Ｈｚの広い音域を含み、音の強さが４５〜５５ｄＢである。暗騒音（サウンドマスキング部３０がＯＦＦの場合）に比べて、音の強さが０〜５ｄＢ程度大きくなるように設定される。
サウンドマスキング部３０は、ホワイトノイズの他、川のせせらぎ・鳥の声など自然の音（環境音）、楽器音（演出音）等を鳴らしてもよい。また、これらを組み合わせた音を鳴らしてもよい。
初期状態では、サウンドマスキング部３０は停止した状態である。
【００３１】
サウンドマスキング部３０は、８つの執務テーブルＴ１〜Ｔ８に向けて個々に音を鳴らすスピーカー３１〜３８を備える。
以下では、スピーカー３１〜３８のいずれかを指す場合、スピーカー３ｎと呼ぶ場合がある。ｎは、１〜８の任意の自然数である。
【００３２】
スピーカー３１〜３８の型式、数等は、任意である。例えば、ミーティングルームＲの天井、床、壁にスピーカー３１〜３８を設置してもよいし、執務テーブルＴ１〜Ｔ８の机上にそれぞれスピーカー３１〜３８を設置してもよい。
【００３３】
選択部４０は、執務テーブルＴ（Ｔ１〜Ｔ８）のうち、現に（実際に）に執務が行われるもの（以下、現行執務テーブルＪと呼ぶ）を選択するための操作入力手段である。
ミーティングルームＲで執務を行おうとする執務者Ｈが選択部４０を操作して、８つの執務テーブルＴ１〜Ｔ８のいずれかを選択して、現行執務テーブル（現行執務領域）Ｊに設定する。
【００３４】
選択部４０は、８つの執務テーブルＴ１〜Ｔ８にそれぞれ対応したスイッチ部４１〜４８を備える。スイッチ部４１〜４８は、例えば執務テーブルＴ１〜Ｔ８のそれぞれの机上に設けられる。
スイッチ部４１〜４８には、それぞれ３つの選択ボタン４１Ａ，４１Ｂ，４１Ｃ〜４１Ａ，４１Ｂ，４１Ｃが設けられる。
以下では、スイッチ部４１〜４８のいずれかを指す場合、スイッチ部４ｎと呼ぶ場合がある。また、選択ボタン４１Ａ，４１Ｂ，４１Ｃ〜４１Ａ，４１Ｂ，４１Ｃのいずれかを指す場合、選択ボタン４ｎＡ，４ｎＢ，４ｎＣと呼ぶ場合がある。ｎは、１〜８の任意の自然数である。
【００３５】
選択ボタン４１Ａ，４１Ｂ〜４８Ａ，４８Ｂは、執務テーブルＴ１〜Ｔ８を現行執務テーブルＪに設定するためのボタンである。選択ボタン４１Ｃ〜４８Ｃは、現行執務テーブルＪの設定を解除する（初期状態に戻す）ためのボタンである。
各執務テーブルＴ１〜Ｔ８では、選択ボタン４１Ａ，４１Ｂ，４１Ｃ〜４８Ａ，４８Ｂ，４８Ｃのいずれか一つのみが選択される。初期状態では、選択ボタン４１Ｃ〜４８Ｃが押圧された状態となる。
【００３６】
現行執務テーブルＪは、さらに会話テーブルＪＡと事務テーブルＪＢに区別される。
選択ボタン（第一設定部）４１Ａ〜４８Ａは、執務テーブルＴ１〜Ｔ８を会話テーブルＪＡに設定するためのボタンである。会話テーブルＪＡに設定された状態を、ミーティングモードともいう。
会話テーブル（会話領域）ＪＡは、会話を伴う執務が行われる現行執務テーブルＪである。例えば、複数人の執務者Ｈがミーティングを行う場合が、会話を伴う執務に該当する。
【００３７】
選択ボタン（第二設定部）４１Ｂ〜４８Ｂは、執務テーブルＴ１〜Ｔ８を事務テーブルＪＢに設定するためのボタンである。事務テーブルＪＢに設定された状態を、集中モードともいう。
事務テーブル（事務領域）ＪＢは、会話を伴わない執務が行われる現行執務テーブルＪである。例えば、一人の執務者Ｈが書類作成等の事務を行う場合が、会話を伴わない執務に該当する。
【００３８】
例えば、執務テーブルＴ１でミーティングを行おうとする執務者Ｈは、スイッチ部４１の選択ボタン４１Ａを押圧して、執務テーブルＴ１を会話テーブルＪＡに設定する。
また、例えば、執務テーブルＴ８で書類作成を行おうとする執務者Ｈは、スイッチ部４８の選択ボタン４８Ｂを押圧して、執務テーブルＴ８を事務テーブルＪＢに設定する。
そして、これらの執務者Ｈらは、ミーティングや書類作成等の執務を止めて執務テーブルＴ１，Ｔ８を離れる際には、スイッチ部４１，４８の選択ボタン４１Ｃ，４８Ｃを押圧して、執務テーブルＴ１，Ｔ８の設定（会話テーブルＪＡ，事務テーブルＪＢ）を解除する。つまり、執務テーブルＴ１，Ｔ８を初期状態に戻す。
【００３９】
高い照度を必要としない執務を行おうとする執務者Ｈは、選択部４０（スイッチ部４１〜４８）を操作することなく、アビエント照明部１０からの照明のみの下で執務を行うこともできる。
例えば、執務テーブルＴ３で簡単な手作業を行おうとする執務者Ｈは、スイッチ部４３の選択ボタン４３Ａ，４３Ｂを押圧することなく、執務テーブルＴ３を初期状態のままにする。仮に、執務テーブルＴ３が会話テーブルＪＡや事務テーブルＪＢに設定されていたら、選択ボタン４３Ｃを押圧して、この設定を解除する。
高い照度を必要としない執務には、簡単な手作業の他、短時間の作業や一時休息を取る場合等が含まれる。
【００４０】
制御部５０は、選択部４０による選択（設定）に基づいて、タスク照明部２０とサウンドマスキング部３０を組み合わせて作動させる制御を行う。制御部５０は、いわゆるマイクロコンピュータであって、タスク照明部２０、サウンドマスキング部３０及び選択部４０に接続される。
制御部５０は、アビエント照明部１０をＯＮ／ＯＦＦする壁面スイッチＳＷに内蔵される。壁面スイッチＳＷによりアビエント照明部１０がＯＮ／ＯＦＦに設定されると、制御部５０も自動的に始動／停止する。
【００４１】
制御部５０は、スイッチ部４ｎの選択ボタン４ｎＡ，４ｎＢが押圧されて、執務テーブルＴｎが現行執務テーブルＪに設定されると、この現行執務テーブルＪ（執務テーブルＴｎ）に対応するタスク照明２ｎを点灯する。
これと同時に、制御部５０は、この現行執務テーブルＪ（執務テーブルＴｎ）に対してスピーカー３ｎを鳴らす。または、この現行執務テーブルＪ（執務テーブルＴｎ）に隣接する執務テーブルＴ（隣接テーブルＫと呼ぶ）に対してスピーカー３ｎを鳴らす。
【００４２】
執務環境調整システム１の具体的な制御方法について説明する。
まず、スイッチ部４ｎの選択ボタン４ｎＡが押圧されて、執務テーブルＴｎが会話テーブルＪＡに設定された場合について説明する。
図３は、執務テーブルＴが会話テーブルＪＡに設定された場合を示す図である。
この場合には、制御部５０は、この会話テーブルＪＡに対応するタスク照明２ｎを点灯する。また、この会話テーブルＪＡに隣接する隣接テーブル（隣接領域）Ｋに対してスピーカー３ｎを鳴らす。さらに、制御部５０は、タスク照明２ｎにより会話テーブルＪＡを照らす際には、広範囲照明モードＷで照らす。
【００４３】
具体的には、図３に示すように、執務テーブルＴ５に向かっている３人の執務者Ｈは、ミーティングを行っている。この執務者Ｈらにより、スイッチ部４５の選択ボタン４５Ａが押圧されて、執務テーブルＴ５が会話テーブルＪＡに設定されると、執務テーブルＴ５に対応するタスク照明２５を点灯する。また、執務テーブルＴ５に隣接する執務テーブルＴ１，Ｔ６（隣接テーブルＫ）に対してスピーカー３１，３６を鳴らす。執務テーブルＴ５に対して、斜め方向に隣接する執務テーブルＴ２も、隣接テーブルＫとして扱ってもよい。
【００４４】
また、執務テーブルＴ５が会話テーブルＪＡに設定されると、タスク照明２５により、執務テーブルＴ５よりも広い範囲（２５Ｗ）を照らす。つまり、執務テーブルＴ５に向かっている３人の執務者Ｈらの着座範囲を含めた範囲を照らす。
【００４５】
なお、執務テーブルＴ１，Ｔ３に向かっている各執務者Ｈは、高い照度を必要としない執務を行っている。このため、選択部４０（スイッチ部４１，４３）を操作することなく、アビエント照明部１０からの照明のみの下で執務を行っている。執務テーブルＴ１に対しては、上述したように、スピーカー３１からホワイトノイズ等が鳴る。
【００４６】
執務テーブルＴ６には、執務者Ｈが存在しないにもかかわらず、スピーカー３６が鳴ってしまう。このような場合には、スピーカー３６を鳴らさないように制御することも可能である。例えば、執務テーブルＴｎに不図示の人感センサーを配置して、執務者Ｈの有無を検出する。そして、執務者Ｈが存在しない執務テーブルＴｎが隣接テーブルＫに設定された場合には、スピーカー３ｎを鳴らさないように制御する。
【００４７】
次に、スイッチ部４ｎの選択ボタン４ｎＢが押圧されて、執務テーブルＴｎが事務テーブルＪＢに設定された場合について説明する。
図４は、執務テーブルＴが事務テーブルＪＢに設定された場合を示す図である。
この場合には、制御部５０は、この事務テーブルＪＢに対応するタスク照明２ｎを点灯する。また、この会話テーブルＪＡに対してスピーカー３ｎを鳴らす。
さらに、制御部５０は、タスク照明２ｎにより事務テーブルＪＢを照らす際には、狭範囲照明モードＳで照らす。
【００４８】
具体的には、図４に示すように、執務テーブルＴ４，Ｔ７に向かっている各執務者Ｈは、会話を伴わない執務を行っている。この各執務者Ｈにより、スイッチ部４４，４７の選択ボタン４４Ｂ，４７Ｂが押圧されて、執務テーブルＴ４，Ｔ７が事務テーブルＪＢに設定されると、執務テーブルＴ４，Ｔ７に対応するタスク照明２４，２７を点灯する。また、執務テーブルＴ４，Ｔ７に対してスピーカー３４，３７を鳴らす。
【００４９】
また、執務テーブルＴ４，Ｔ７が事務テーブルＪＢに設定されると、タスク照明２４，２７により、執務テーブルＴ４，Ｔ７と同一範囲（２４Ｓ，２７Ｓ）を照らす。つまり、執務テーブルＴ４，Ｔ７のみを照らし、執務テーブルＴ４，Ｔ７に向かっている執務者Ｈを照らさない。
【００５０】
なお、執務テーブルＴ１，Ｔ３に向かっている各執務者Ｈは、高い照度を必要としない執務を行っている。このため、選択部４０（スイッチ部４１，４３）を操作することなく、アビエント照明部１０からの照明のみの下で執務を行っている。
【００５１】
次に、隣接テーブルＫと会話テーブルＪＡが重複して設定された執務テーブルＴがある場合について説明する。
図５は、隣接テーブルＫと会話テーブルＪＡが重複して設定された場合を示す図である。
この場合には、制御部５０は、この執務テーブルＴを会話テーブルＪＡとして扱う（設定する）。
【００５２】
具体的には、図５に示すように、執務テーブルＴ５，Ｔ６に向かっている執務者Ｈらは、それぞれミーティングを行っている。例えば、執務テーブルＴ５に向かっている執務者Ｈらにより、スイッチ部４５の選択ボタン４５Ａが押圧されて、執務テーブルＴ５が会話テーブルＪＡに設定されると、執務テーブルＴ５に対応するタスク照明２５を点灯して、執務テーブルＴ５よりも広い範囲（２５Ｗ）を照らす。また、執務テーブルＴ５に隣接する執務テーブルＴ１，Ｔ６（隣接テーブルＫ）に対してスピーカー３１，３６を鳴らす。
その後に、執務テーブルＴ６に向かっている執務者Ｈらにより、スイッチ部４６の選択ボタン４６Ａが押圧されて、執務テーブルＴ６が会話テーブルＪＡに設定されると、執務テーブルＴ６は、隣接テーブルＫと会話テーブルＪＡが重複して設定されたことになる。
同時に、執務テーブルＴ６が会話テーブルＪＡに設定されたことにより、執務テーブルＴ２，Ｔ５，Ｔ７が隣接テーブルＫとなるため、執務テーブルＴ５も隣接テーブルＫと会話テーブルＪＡが重複して設定されたことになる。
【００５３】
そこで、制御部５０は、執務テーブルＴ５，Ｔ６を会話テーブルＪＡとして扱う。つまり、タスク照明２５，２６の広範囲照明モードＷで執務テーブルＴ５，Ｔ６よりも広い範囲（２５Ｗ，２６Ｗ）を照らす。
また、スピーカー３６が鳴るのを止める一方で、執務テーブルＴ６に隣接する執務テーブルＴ２，Ｔ７に対してスピーカー３２，３７を鳴らす。執務テーブルＴ６に隣接する執務テーブルＴ５に対しては、会話テーブルＪＡなので、スピーカー３５を鳴らさない。
【００５４】
なお、会話テーブルＪＡに設定された執務テーブルＴ同士が隣接する場合には、この会話テーブルＪＡ（執務テーブルＴ５，Ｔ６）対して、スピーカー３５，３６を鳴らしてもよい。広範囲照明モードＷで照らし続ける点で、事務テーブルＪＢの場合とは異なる。これにより、お互いの会話内容が聞き取りづらくなる。
【００５５】
次に、隣接テーブルＫと事務テーブルＪＢが重複して設定された執務テーブルＴがある場合について説明する。
図６は、隣接テーブルＫと事務テーブルＪＢが重複して設定された場合を示す図である。
この場合には、制御部５０は、隣接テーブルＫと事務テーブルＪＢが重複する執務テーブルＴがある場合には、この執務テーブルＴを事務テーブルＪＢとして扱う（設定する）。
【００５６】
具体的には、図６に示すように、執務テーブルＴ５に向かっている３人の執務者Ｈは、ミーティングを行っている。執務テーブルＴ６に向かっている執務者Ｈは、会話を伴わない執務を行っている。
例えば、執務テーブルＴ５に向かっている執務者Ｈらにより、スイッチ部４５の選択ボタン４５Ａが押圧されて、執務テーブルＴ５が会話テーブルＪＡに設定されると、執務テーブルＴ５に対応するタスク照明２５を点灯して、執務テーブルＴ５よりも広い範囲（２５Ｗ）を照らす。また、執務テーブルＴ５に隣接する執務テーブルＴ１，Ｔ６が隣接テーブルＫとなり、これに対してスピーカー３１，３６を鳴らす。
その後に、執務テーブルＴ６に向かっている執務者Ｈにより、スイッチ部４６の選択ボタン４６Ｂが押圧されて、執務テーブルＴ６が事務テーブルＪＢに設定されると、執務テーブルＴ６は、隣接テーブルＫと事務テーブルＪＢが重複して設定されたことになる。
【００５７】
そこで、制御部５０は、執務テーブルＴ６を事務テーブルＪＢとして扱う。つまり、タスク照明２６の狭範囲照明モードＳで執務テーブルＴ６と同一範囲（２６Ｓ）を照らす。また、スピーカー３６が鳴っている状態を維持する。
【００５８】
以上、説明したように、執務環境調整システム１では、選択部４０（選択ボタン４１Ａ〜４８Ａ）の操作により、執務テーブルＴのいずれかが会話テーブルＪＡ（ミーティングモード）に設定されると、この会話テーブルＪＡに対するタスク照明部２０が点灯する。これにより、会話テーブルＪＡで会話を伴う執務を行う執務者Ｈらは、執務（会話）に集中することができる。また、タスク照明部２０が会話テーブルＪＡと、この会話テーブルＪＡに向かっている執務者Ｈらを照らすので、執務（会話）に集中することができる。
これと同時に、会話テーブルＪＡに隣接する隣接テーブルＫに対するサウンドマスキング部３０が鳴る。これにより、隣接テーブルＫで執務を行う執務者Ｈは、会話テーブルＪＡからの会話内容が聞き取りづらくなり、集中力低下を招くことがない。
【００５９】
また、執務環境調整システム１では、選択部４０（選択ボタン４１Ｂ〜４８Ｂ）の操作により、執務テーブルＴのいずれかが事務テーブルＪＢ（集中モード）に設定されると、この事務テーブルＪＢに対するタスク照明部２０が点灯すると共に、この事務テーブルＪＢに対するサウンドマスキング部３０が鳴る。これにより、事務テーブルＪＢで執務を行う執務者Ｈは、周囲の音（会話等）に阻害されることなく、執務に集中することができる。
また、タスク照明部２０が事務テーブルＪＢのみを照らすので、執務に集中することができる。
【００６０】
上述した実施形態において示した各構成部材の諸形状や組み合わせ等は一例であって、本発明の主旨から逸脱しない範囲において設計要求等に基づき種々変更可能である。
【００６１】
本発明の執務領域として、４人の執務者Ｈが着席することができる執務テーブルＴを挙げて説明したが、これに限らない。執務テーブルＴに着席できる執務者Ｈの人数は４人以外であってもよい。
執務テーブルＴに対して椅子が付属しない場合（スタンディングテーブル）であってもよい。
【００６２】
ミーティングルームＲに配置された執務テーブルＴの数は、８つに限らない。
執務テーブルが１つの場合であってもよい。この場合には、例えば５，６人以上の執務者Ｈが着席できる一つのミーティングテーブルにおいて、２〜４人程度が着席できる領域を本発明の執務領域とする。つまり、一つのミーティングテーブルにおける複数の領域を、執務テーブルＴ１〜Ｔ８と同等に扱う。
【００６３】
執務領域は、執務テーブルに限らず、固定式の椅子のみであってもよい。このような椅子に着席しながら、会話をしたり、ノートパソコンを操作したりすることも、本発明の執務に含まれる。
【００６４】
会話を伴う執務には、話し相手がその場にいない電話等での会話も含まれる。
【００６５】
本発明の執務室として、ミーティングルームＲを挙げて説明したが、これに限らない。
オフィスルームの一部にミーティング等が可能な執務テーブルが配置される場合であってもよい。つまり、執務室は、区画された一つの部屋でなく、広い部屋の一画であってもよい。この場合には、周辺に配置された固定式の執務机を事務テーブルとして扱ってもよい。
【００６６】
また、執務室は、店舗等（銀行、病院、薬局等）の顧客対応カウンターとその奥にある執務机であってもよい。つまり、店舗等においても本発明を適用することもできる。この場合には、顧客対応カウンターが会話領域であり、執務机が事務領域となりうる。
【００６７】
選択部４０のスイッチ部４１〜４８は、ミーティングルームＲの壁面等に集中配置してもよい。スイッチ部４１〜４８は、リモコン式のスイッチであってもよい。
【００６８】
社内ＬＡＮのＷＥＢサーバ上に作成したホームページに選択部４０を構築してもよい。この場合には、執務者Ｈが所持するスマートフォンやタブレット、ノートパソコンから社内ＬＡＮに無線接続し、ホームページの選択部４０を操作する。
【００６９】
また、選択部４０は、スイッチ部４１〜４８に代えて、各種人感センサー及び音感センサー等の検出手段を有してもよい。執務テーブルＴに着席した執務者Ｈを人感センサーが検知すると、この執務テーブルＴを現行執務テーブルＪに設定（選択）する。さらに、人感センサーが複数の執務者Ｈが着席したことを検知すると共に音感センサーが会話を検知すると、この執務テーブルＴを会話テーブルＪＡに設定（選択）する。一方、一人の執務者Ｈしか着席した場合や音感センサーが会話を検知しない場合には、この執務テーブルＴを事務テーブルＪＢに設定（選択）する。
【００７０】
アビエント照明部１０及びタスク照明部２０からの照明の照度、色温度は、任意に変更可能であってもよい。特に、タスク照明部２０の照明の照度、色温度は、執務テーブルＴごとに調整可能であってもよい。また、タスク照明部２０の照明範囲も、執務テーブルＴごとに任意に変更可能であってもよい。
また、サウンドマスキング部３０からの音の周波数、大きさは、任意に変更可能であってもよい。
【符号の説明】
【００７１】
１…執務環境調整システム、  １０…アビエント照明部、  ２０…タスク照明部、  ２１〜２８…タスク照明、  ３０…サウンドマスキング部、  ３１〜３８…スピーカー、  ４０…選択部、  ４１〜４８…スイッチ部、  ４１Ａ〜４８Ａ…選択ボタン（第一設定部）、  ４１Ｂ〜４８Ｂ…選択ボタン（第二設定部）、  ５０…制御部、  Ｒ…ミーティングルーム（執務室）、  Ｔ（Ｔ１〜Ｔ８）…執務テーブル（執務領域）、  Ｊ…現行執務テーブル（現行執務領域）、  ＪＡ…会話テーブル（会話領域）、  ＪＢ…事務テーブル（事務領域）、  Ｋ…隣接テーブル（隣接領域）、  Ｈ…執務者  
【図１】
2014154483.tif 000003
【図２】
2014154483.tif 000004
【図３】
2014154483.tif 000005
【図４】
2014154483.tif 000006
【図５】
2014154483.tif 000007
【図６】
2014154483.tif 000008